(57)【要約】【課題】識別対象者のＩＤ情報が記録された非接触ＩＤタグ等の記録体を装着した者が、識別対象者本人であることを簡単に確認しえる動態管理システムの提供を目的とする。【解決手段】上記目的は、識別対象者ＡのＩＤ情報Ｘ１が記録された記録体１と、該記録体１に記録されたＩＤ情報Ｘ１を読み取る読取手段２と、該読取手段２により読み取られたＩＤ情報Ｘ１に基づき特定される識別対象物者Ａの個人情報Ｘ２を出力する制御手段３と、該制御手段３から出力される個人情報Ｘ２を表示する表示手段４と、該識別対象者Ａを撮影する撮影手段５を備えた動態管理システムにおいて、撮影手段５によってえられた該識別対象者Ａの撮影映像情報Ｘ３と該個人情報Ｘ２を、表示手段４の表示画面に表示することで、達成できる。【選択図】      図１
2004310350.tif 000002
【特許請求の範囲】
【請求項１】
識別対象者のＩＤ情報が記録された記録体と、この記録体に記録されたＩＤ情報を読み取る読取手段と、この読取手段により読み取られたＩＤ情報に基づいて特定される前記識別対象物者の個人情報を出力する制御手段と、この制御手段から出力される個人情報を表示する表示手段と、前記識別対象者を撮影する撮影手段とを少なくとも備えた動態管理システムにおいて、前記撮影手段によってえられた前記識別対象者の撮影映像情報と前記個人情報を、前記表示手段の表示画面に表示するようにしたことを特徴とする動態管理システム。
【請求項２】
前記読取手段により前記ＩＤ情報が読み取られると、前記個人情報及び前記撮影映像情報が、前記表示手段の表示画面に同時に表示されるようにしたことを特徴とする請求項１記載の動態管理システム。
【請求項３】
前記記録体は、非接触ＩＤタグであることを特徴とする請求項１若しくは２記載の動態管理システム。
【請求項４】
前記制御手段は、前記個人情報が記憶されている記憶部を含み、この記憶部に前記撮影映像情報を前記個人情報と関連付けて記憶させるようにしてなる請求項１、２若しくは３記載の動態管理システム。
【請求項５】
前記記憶部には、前記識別対象者本人の顔写真情報が記憶されており、その顔写真情報を前記表示手段の表示画面に、前記個人情報及び前記撮影映像情報とともに、表示するようにしたことを特徴とする請求項４記載の動態管理システム。
【発明の詳細な説明】
【０００１】
【発明の属する技術分野】
本発明は、例えば、老人ホームなどの養護施設利用者の出入を管理するのに好適な動態管理システムに関するものである。
【０００２】
【従来の技術】
従来、老人ホームなどの養護施設利用者の出入を管理する動態管理システムとしては、入退室者の着ている衣類にその入退室者の個人情報が記憶された非接触ＩＤタグを取り付け、かつ、養護施設内における特定の部屋のドアに前記非接触ＩＤタグに記憶された入退室者（以下、識別対象者という）の個人情報を読み取る読取機を取り付けおくとともに、前記特定の部屋に入室しようとする前記識別対象者の非接触ＩＤタグに記憶されている個人情報を前記読取機で読み取り、その読み取った個人情報と予め前記読取機に記録された入室許可者の情報とを比較して、読み取った個人情報と入室許可者の情報が一致する場合には前記特定の部屋のドアの鍵を解除し、かつ、読み取った個人情報と入室許可者の情報が一致しない場合には前記特定の部屋のドアの鍵を解除しないようにするものが知られていた（例えば、特許文献１参照）。
【０００３】
【特許文献１】
特開２０００−１３２１０２号公報
（４頁の左段４４行〜右段８行）
【０００４】
【発明が解決しようとする課題】
上記従来の技術では、例えば、養護施設内における特定の部屋への入室が許可されていない者（以下、入室不許可者という）が、入室が許可されている他人の個人情報が記憶されている非接触ＩＤタグを装着していた場合には、入室不許可者の、特定の部屋への入室を許してしまうという問題があった。
【０００５】
さらに、上記従来の技術では、非接触ＩＤタグに記憶されている識別対象者の個人情報と予め読取機に記録された入室許可者の情報が一致して、特定の部屋のドアの鍵が解除された場合には、識別対象者と一緒に識別対象者の家族などが入室することが可能であり、識別対象者一人が入室したのか、若しくは識別対象者以外の家族など複数の者と一緒に識別対象者が入室したのかを、確認することができないという問題があった。
【０００６】
本発明の目的は、上記問題点にかんがみ、識別対象者のＩＤ情報が記録された非接触ＩＤタグなどの記録体を、装着若しくは携帯した者が、識別対象者本人であることを簡単に確認することができ、しかも、識別対象者一人が入出したのか、若しくは識別対象者以外の家族など複数の者と一緒に識別対象者が入出したのかを、確認することのできる動態管理システムを提供することにある。
【０００７】
【課題を解決するための手段】
上記目的を達成するために、本発明は、識別対象者のＩＤ情報が記録された記録体と、この記録体に記録されたＩＤ情報を読み取る読取手段と、この読取手段により読み取られたＩＤ情報に基づいて特定される前記識別対象物者の個人情報を出力する制御手段と、この制御手段から出力される個人情報を表示する表示手段と、前記識別対象者を撮影する撮影手段とを少なくとも備えた動態管理システムにおいて、前記撮影手段によってえられた前記識別対象者の撮影映像情報及び前記個人情報を、前記表示手段の表示画面に表示する構成にしたものである。
【０００８】
このように構成した本発明では、ＩＤ情報に基づいて特定される識別対象物者の個人情報と、撮影手段によってえられた識別対象者の撮影映像情報とを、表示画面にて、照合することができるので、識別対象者のＩＤ情報が記録された記録体を、装着若しくは携帯した者が、識別対象者本人であるか否かを、簡単に確認することができる。しかも、撮影手段によって、識別対象者のＩＤ情報が記録された記録体を装着若しくは携帯した者を撮影すれば、その記録体を装着若しくは携帯した者と一緒に家族などがいれば、それら家族なども撮影され、撮影映像情報として表示手段の表示画面に表示されるので、識別対象者一人の状況か、識別対象者が識別対象者以外の家族などと一緒の状況かを、表示手段の表示画面で簡単に確認することができる。
【０００９】
【発明の実施の形態】
以下、図面を参照して、本発明の実施の形態を説明する。図１は、本発明の一実施の形態を示し、動態管理システムの要部概略構成図である。図２は、本発明の一実施の形態を示し、動態管理システムにおける表示画面の構成図である。図３は、本発明の一実施の形態を示し、動態管理システムの動作を説明する流れ図である。図４は、本発明の他実施の形態を示し、動態管理システムにおける表示画面の構成図である。図５は、本発明の他実施の形態を示し、動態管理システムの動作を説明する流れ図である。
【００１０】
図１において、動態管理システムは、識別対象者ＡのＩＤ情報Ｘ１が記録された記録体１と、この記録体１に記録されたＩＤ情報Ｘ１を読み取る読取手段２と、この読取手段２により読み取られたＩＤ情報Ｘ１に基づいて特定される識別対象物者Ａの個人情報Ｘ２を出力する制御手段３と、この制御手段３から出力される個人情報Ｘ２を表示する表示手段４と、識別対象者Ａを撮影する撮影手段５とを備えている。
【００１１】
記録体１は、識別対象者Ａが装着し易い大きさにした非接触ＩＤタグからなり、識別対象者Ａの個人認識番号などのＩＤ情報Ｘ１が記録され、しかも、識別対象者Ａの衣類に簡単に取り付けることができる構造にしてある。読取手段２は、その読取手段２に記録体１が所定の範囲内に近づくと記録体１のＩＤ情報Ｘ１を読み取り、そのＩＤ情報Ｘ１を制御手段３に出力する構成にしてある。
【００１２】
制御手段３は、図１に示すように、主制御部６と記憶部７を少なくとも有している。記憶部７には、識別対象物者Ａの個人情報Ｘ２その他の多数の個人情報が記憶されている。主制御部６は、読取手段２から出力されてきたＩＤ情報Ｘ１に基づいて特定される識別対象物者Ａの個人情報Ｘ２を記憶部７から引き出して表示手段４に出力する構成にしてある。表示手段４は、モニタテレビ装置などのモニタからなり、図２示すように、表示画面８を有している。
【００１３】
撮影手段５は、ビデオカメラ、ディジタルカメラなどのカメラからなり、識別対象物者Ａを撮影して、その撮影映像情報Ｘ３をカメラ映像として制御手段３に出力する構成にしてある。撮影手段５から制御手段３に出力されてきた撮影映像情報Ｘ３は、制御手段３の主制御部６により表示手段４に出力されて表示画面８に表示されるとともに、記憶部７に識別対象物者Ａの個人情報Ｘ２と関連付けて記憶されるようにしてある。
【００１４】
表示画面８には、図２示すように、制御手段３から出力されてきた個人情報Ｘ２が表示される個人情報用表示エリア９と、制御手段３から出力されてきた撮影映像情報Ｘ３が表示される撮影映像情報用表示エリア１０とが、区画されている。撮影手段５による識別対象物者Ａの撮影タイミングは、読取手段２によりＩＤ情報が読み取られると同時とし、しかも、個人情報Ｘ２及び撮影映像情報Ｘ３が、図２示すように、表示手段の表示画面に同時に表示されるようにしてある。
【００１５】
個人情報Ｘ２の内容は、図２示すように、ＩＤ番号（個人認識番号）、氏名、部屋番号、年齢、性別、住所、連絡先などからなる。撮影映像情報Ｘ３の内容は、撮影手段５によってえられるカメラ映像であって、図２示すように、養護施設の出入口を出入する識別対象者Ａの全体像、若しくは識別対象者Ａ及び識別対象者Ａと一緒に出入する家族などの全体像である。
【００１６】
図１の動態管理システムを老人ホームなどの養護施設に敷設する場合には、養護施設の出入口近傍に読取手段２及び撮影手段５を取り付け、かつ、識別対象者Ａとなる人、例えば、養護施設に入居する人、の衣類などに記録体１である非接触ＩＤタグを取り付けるとともに、養護施設の事務室若しくは管理室に制御手段３及び表示手段４を設置するようにしている。
【００１７】
上記構成の動態管理システムの動作を、図３に基づいて、次に説明する。まず、始めに、識別対象者Ａが養護施設の出入口近傍に近づくと、図３のステップＳ１に示すように、識別対象者Ａに取り付けた非接触ＩＤタグから識別対象者ＡのＩＤ情報Ｘ１が読取手段２によって読み取られる。次に、読取手段２によって読み取られたＩＤ情報Ｘ１が制御手段３に入力されると、図３のステップＳ２に示すように、そのＩＤ情報Ｘ１に基づいて識別対象物者Ａの個人情報Ｘ２が特定されて、その特定された識別対象物者Ａの個人情報Ｘ２が、図３のステップＳ３に示すように、主制御部６により記憶部７から引き出されて表示手段４であるモニタに出力される。
【００１８】
次に、読取手段２によってＩＤ情報Ｘ１が読み取られると、図３のステップＳ４に示すように、撮影手段５が作動して、識別対象物者Ａの撮影映像情報Ｘ３がカメラ映像として制御手段３に取り込まれる。次に、制御手段３に取り込まれた識別対象物者Ａの撮影映像情報Ｘ３をカメラ映像として表示手段４であるモニタに、図３のステップＳ５に示すように、出力され、しかも、表示画面８の撮影映像情報用表示エリア１０に識別対象物者Ａの撮影映像情報Ｘ３がカメラ映像として表示されるとともに、表示画面８の個人情報用表示エリア９に個人情報Ｘ２が表示される。そして、図３のステップＳ６に示すように、撮影手段５によってえられた撮影映像情報Ｘ３が制御手段３の記憶部７に個人情報Ｘ２と関連付けて記憶される。
【００１９】
このように、上記一実施の形態の動態管理システムでは、表示画面８に、氏名などの個人情報Ｘ２と一緒に、養護施設の出入口を出入する識別対象物者Ａの撮影映像情報Ｘ３がカメラ映像として表示されるので、そのカメラ映像及び個人情報Ｘ２を識別対象物者Ａと面識のある事務員若しくは管理人が見ることにより、識別対象者ＡのＩＤ情報が記録された記録体１を、装着若しくは携帯した者が、間違いなく識別対象者本人であることを、養護施設の事務室若しくは管理室にて簡単に確認することができる。その場合、表示画面８に、個人情報Ｘ２と撮影映像情報Ｘ３とが同時に表示されるので、個人情報Ｘ２と撮影映像情報Ｘ３との照合が、容易である。したがって、識別対象者ＡのＩＤ情報が記録された記録体１を、他人が装着若しくは携帯して養護施設の出入口を出入するのを、素早く見つけることができるので、養護施設への出入が許可されていない人の、養護施設の出入を阻止することができる。
【００２０】
また、養護施設の出入口を出入する識別対象者Ａ及びその識別対象者Ａと一緒に出入する家族などの全体像が、表示画面８の撮影映像情報用表示エリア１０に、表示されるので、養護施設の出入口を出入する識別対象者Ａが、識別対象者Ａ一人の状況か、識別対象者Ａ以外の家族などと一緒の状況かを、養護施設の事務室若しくは管理室にて、即座に確認することができる。
【００２１】
また、撮影手段５が作動してえられる識別対象物者Ａの撮影映像情報Ｘ３は、撮影手段５が作動する毎に、制御手段３の記憶部７に個人情報Ｘ２と関連付けて記憶されるので、その記憶部７から撮影映像情報Ｘ３を引き出すことにより、識別対象物者Ａの、養護施設の出入口を出入した行動履歴を、知ることができ、養護施設における識別対象物者Ａの養護管理を適確に効率よく行うことができる。
【００２２】
さらに、上記一実施の形態の動態管理システムは、養護施設に入居する人の衣類などに取り付けた非接触ＩＤタグから識別対象者ＡのＩＤ情報Ｘ１が、識別対象物者Ａが養護施設の出入口に近づくと養護施設の出入口近傍に取り付けられた読取手段２により、識別対象物者Ａは何らの操作をすることなく、自動的に読み取られ、しかも、識別対象物者Ａに気付かれることなく、識別対象者Ａの全体像、若しくは識別対象者Ａ及びその識別対象者Ａと一緒に出入する家族などの全体像が、撮影手段５により自動的に撮影されて、その全体像が表示画面８に表示されるので、使い勝手が優れている。
【００２３】
次に、上記他実施の形態の動態管理システムを、図４及び図５に基づいて説明する。図４及び図５において、図１から図３と同一符号部分は同一内容を表している。
【００２４】
他実施の形態の動態管理システムは、表示手段４の表示画面８を、図４に示すように、個人情報用表示エリア９と撮影映像情報用表示エリア１０と識別対象物者Ａ本人の顔写真情報Ｘ４が表示される顔写真情報用表示エリア１１とに区画するとともに、識別対象物者Ａ本人の顔写真情報Ｘ４を予め制御手段３の記憶部７に個人情報Ｘ２と関連付けて記憶させる構成とし、表示手段４の表示画面８に、個人情報Ｘ２と撮影映像情報Ｘ３と顔写真情報Ｘ４が、図４に示すように、同時に表示されるようにしてあり、他の点は上記一実施の形態の動態管理システムと同一である。
【００２５】
上記他実施の形態の動態管理システムにおける動作を、図５に基づいて、次に説明する。
【００２６】
まず、識別対象者Ａが養護施設の出入口近傍に近づくと、図５のステップＴ１に示すように、識別対象者Ａに取り付けた非接触ＩＤタグから識別対象者ＡのＩＤ情報Ｘ１が読取手段２によって読み取られる。次に、読取手段２によって読み取られたＩＤ情報Ｘ１が制御手段３に入力されると、図５のステップＴ２に示すように、そのＩＤ情報Ｘ１に基づいて識別対象物者Ａの個人情報Ｘ２及び識別対象物者Ａの顔写真情報Ｘ４が特定される。その特定された識別対象物者Ａの個人情報Ｘ２及び識別対象物者Ａの顔写真情報Ｘ４は、図５のステップＴ３に示すように、主制御部６により記憶部７から引き出されて表示手段４であるモニタに出力される。
【００２７】
次に、読取手段２によってＩＤ情報Ｘ１が読み取られると、図５のステップＴ４に示すように、撮影手段５が作動して、識別対象物者Ａの撮影映像情報Ｘ３がカメラ映像として制御手段３に取り込まれる。次に、制御手段３に取り込まれた識別対象物者Ａの撮影映像情報Ｘ３をカメラ映像として表示手段４であるモニタに、図５のステップＴ５に示すように、出力される。そして、表示手段４であるモニタの表示画面８には、表示画面８の個人情報用表示エリア９に個人情報Ｘ２が、撮影映像情報用表示エリア１０に識別対象物者Ａの撮影映像情報Ｘ３が、顔写真情報用表示エリア１１に識別対象物者Ａ本人の顔写真情報Ｘ４が、それぞれ表示される。そして、図５のステップＴ６に示すように、撮影手段５によってえられた撮影映像情報Ｘ３が、制御手段３の記憶部７に個人情報Ｘ２及び識別対象物者Ａ本人の顔写真情報Ｘ４と関連付けて記憶される。
【００２８】
上記他実施の形態の動態管理システムでは、表示画面８に、養護施設の出入口を出入する識別対象物者Ａの撮影映像情報Ｘ３がカメラ映像として表示されるとともに、予め制御手段３の記憶部７に記憶された養護施設の出入口を出入する識別対象物者Ａの個人情報Ｘ２及び識別対象物者Ａ本人の顔写真情報Ｘ４が表示されるので、個人情報Ｘ２と撮影映像情報Ｘ３と顔写真情報Ｘ４とを、照合することにより、識別対象物者Ａと面識のない事務員若しくは管理人であっても、間違いなく、記録体１を装着若しくは携帯した者が識別対象物者Ａ本人であることの確認を養護施設の事務室若しくは管理室にて、行うことができる。
【００２９】
また、上記他実施の形態の動態管理システムにおいても、養護施設の出入口を出入する識別対象者Ａ及びその識別対象者Ａと一緒に出入する家族などの全体像が、表示画面８の撮影映像情報用表示エリア１０に、表示されるので、養護施設の出入口を出入する識別対象者Ａが、識別対象者Ａ一人の状況か、識別対象者Ａ以外の家族などと一緒の状況かを、養護施設の事務室若しくは管理室にて、即座に確認することができる。
【００３０】
上記両実施の形態の動態管理システムにおいては、その動態管理システムを老人ホームなどの養護施設の出入に応用した場合につき、説明しているが、これに限定されない。スポーツクラブや研究機関の施設の入退者管理や病院内の各部屋の入退室者管理などに応用することができる。
【００３１】
さらに、上記両実施の形態の動態管理システムにおいては、撮影映像情報Ｘ３と個人情報Ｘ２、若しくは撮影映像情報Ｘ３と個人情報Ｘ２と顔写真情報Ｘ４とが、制御手段３内の記憶部７に記憶させるようにしているが、制御手段３に外部記憶装置を接続して、その外部記憶装置に、撮影映像情報Ｘ３と個人情報Ｘ２、若しくは撮影映像情報Ｘ３と個人情報Ｘ２と顔写真情報Ｘ４を記憶させるようにしてもよい。
【００３２】
【発明の効果】
以上のように、本願の請求項１乃至４の発明によれば、識別対象者のＩＤ情報が記録された記録体を、装着若しくは携帯した者が、識別対象者本人であることを簡単に確認することができるとともに、識別対象者一人で出入したのか、若しくは識別対象者以外の家族など複数の者と一緒に識別対象者で出入したのかを、確認することのできる動態管理システムがえられた。
【００３３】
また、本願の請求項５の発明によれば、養護施設の出入口を出入する識別対象物者の撮影映像情報が表示手段の表示画面に表示されるとともに、養護施設の出入口を出入する識別対象物者の個人情報及び識別対象物者本人の顔写真情報が表示手段の表示画面に表示されるので、個人情報と撮影映像情報と顔写真情報とを、照合することにより、識別対象物者と面識のない事務員若しくは管理人であっても、記録体を装着若しくは携帯した者が識別対象物者Ａ本人であることの確認を、養護施設の事務室若しくは管理室にて、間違いなく行うことのできる動態管理システムがえられた。
【図面の簡単な説明】
【図１】本発明の一実施の形態を示し、動態管理システムの要部概略構成図である。
【図２】本発明の一実施の形態を示し、動態管理システムにおける表示画面の構成図である。
【図３】本発明の一実施の形態を示し、動態管理システムの動作を説明する流れ図である。
【図４】本発明の他実施の形態を示し、動態管理システムにおける表示画面の構成図である。
【図５】本発明の他実施の形態を示し、動態管理システムの動作を説明する流れ図である。
【符号の説明】
１    記録体（非接触ＩＤタグ）
２    読取手段
３    制御手段
４    表示手段（モニタ）
５    撮影手段（カメラ）
６    主制御部
７    記憶部
８    表示画面
９    個人情報用表示エリア
１０  撮影映像情報用表示エリア
１１  顔写真情報用表示エリア
Ａ    識別対象者
Ｘ１  ＩＤ情報
Ｘ２  個人情報
Ｘ３  撮影映像情報
Ｘ４  顔写真情報
【図１】
2004310350.tif 000003
【図２】
2004310350.tif 000004
【図３】
2004310350.tif 000005
【図４】
2004310350.tif 000006
【図５】
2004310350.tif 000007